(57)【要約】【課題】ボルトを締め込むことにより締結している軸等に不要な荷重をかけることなく締結部材を解放することができるだけでなく、構造が簡単で締結力が低下せず、必要に応じてカラーの厚さを薄くすることもできる締結部材を提供する。【解決手段】環状のカラー２を一方端４と他方端５とに切り離すようにカラー２にスリット３を設け、一方端４に締付穴６を設け、他方端５に内周に雌ねじのある遊挿解放穴７を設け、締結ボルト２０の軸部２０ｂを、遊挿解放穴７に挿通させて締付穴６に締め込むことにより、カラー２を外挿した軸４０に締結し、締結ボルト２０を取り外した状態で、遊挿解放穴７に螺合する解放ボルト３０を、該解放ボルト３０が一方端４を押動するまで遊挿解放穴７に締め込むことにより、軸４０から解放する。【選択図】      図１
2004293645.tif 000002
【特許請求の範囲】
【請求項１】
環状のカラーを前記カラーの一方端と前記カラーの他方端とに切り離すように、前記カラーにスリットを設け、前記一方端に内周に雌ねじのある締付穴を設け、前記他方端に、前記締付穴と略同一軸線上に前記締付穴よりも内径の大きい遊挿穴を設け、前記締付穴に螺合する軸部と前記遊挿穴に挿通不能な頭部とを備えた締結ボルトの軸部を、前記遊挿穴に挿通させて前記締付穴に締め込むことにより、前記カラーを外挿した軸に締結される締結部材において、前記遊挿穴を内周に雌ねじのある遊挿解放穴とし、前記締結ボルトを取り外した状態で、前記遊挿解放穴に螺合する解放ボルトを、該解放ボルトが前記一方端を押動するまで前記遊挿解放穴に締め込むことにより、前記締結部材が前記軸から解放されるようにしたことを特徴とする締結部材。
【発明の詳細な説明】
【０００１】
【発明の属する技術分野】
本発明は、軸等に締結する締結部材に関するものである。
【０００２】
【従来の技術】
従来の締結部材としては、図４に示すように、カラー５１の一方端５３とカラー５１の他方端５５とにスリット５２で切り離されたカラー５１の一方端５３にルーズ穴５４を形成し、他方端５５にねじ穴５６を形成し、締結時に締結用ボルト５７の軸部をルーズ穴５４に遊通させてねじ穴５６に締め込むものがある。この締結部材５０は、図４で二点鎖線で示す締結用ボルト５７を外してもカラー５１が軸から分離しない場合があった。そうなった場合、一度締め込んだ締結部材５０を解放するために、スリット５２間に物を差し込んで無理矢理こじ開けて解放していた。その時に、締結している軸等に不要な荷重（例えば衝撃）を与えている場合があり良くなかった。そこで、スリット５２間に板状のスペーサ５８を差し込んでおき、ねじ穴５６のカラー５１外周面側に開口している開口端から解放用ボルト５９を締め込むことにより、締結を解放する方法もあったが、締結用ボルト５７を取り外し、解放用ボルト５９を締め込むためにカラー５１の両側に作業スペースが必要となったり、一方向から作業するために軸を半回転させなければならなかったりするという問題があった。
【０００３】
そこで、図５に示すように、カラー７１の一方端７３とカラー７１の他方端７４とにスリット７２で切り離されたカラー７１の一方端７３に、ルーズ穴７５とねじ穴７６とを並設し、カラー７１の他方端７４であってルーズ穴７５の略同軸上にルーズ穴７５の内径よりも小さい内径のねじ穴７７を設け、ねじ穴７７に螺合する軸部を備えた図示しない締結用ボルトを、その軸部をルーズ穴７５に遊通させてねじ穴７７に締め込むことで締結する締結部材７０がある。この締結部材７０は、締結用ボルトを取り外した状態で、ねじ穴７６に螺合する解放用ボルト７８をねじ穴７６に締め込んでゆくと、解放用ボルトの先端が他方端７４を押動して締結が解放されるようになっている。この締結部材７０によれば、締結している軸等に不要な荷重をかけることなく締結を解放できるので、軸を傷める恐れがない。また、締結と締結解除との作業をカラー７１の一方端７３側から行えるので、カラー７１の一方端７３側にだけ作業スペースがあればよく、締結解除時にカラー７１を半回転させる必要がない。
【０００４】
また、図６に示すように、一本のボルトの回転方向を変える事で締結したり締結解除したりできる締結部材８０がある（例えば、特許文献１参照。）。この締結部材８０は、スリット８２で切り離されたカラー８１の一方端８３に、スリット８２と平行な２つの内側面を有する凹部８７を形成し、スリット８２とこの凹部８７との間にルーズ穴８６を形成する一方、他方端８５にはねじ穴８４を形成し、ねじ穴８４の側からルーズ穴８６に向けてボルト８８を挿通し、ボルト８８の首下所定位置に止め溝８９を形成し、ボルト８８挿通後に止め輪９０を打ち込んだものである。この締結部材８０によれば、ボルト８８一本で締結を行うばかりでなく、ボルト８８を逆回転させることにより、締結部材８０のスリット８２が確実に口を開いて締結が解放されるようになっている。また、締結部材７０と同様に、カラー８１の一方端８３側にだけ作業スペースがあればよく、締結解除時にカラー８１を半回転させる必要がない。
【０００５】
【特許文献１】
特開２０００−９１１０公報
【０００６】
【発明が解決しようとする課題】
しかし、締結部材７０のカラー７１は、締結部材５０のカラー５１に比べて解放用のねじ穴７６を新たに設ける必要があるため、構造が複雑になるという問題があった。また、カラー７１の一方端７３に、ルーズ穴７５とねじ穴７６とを並設するので、カラー７１の厚さが厚くなるという問題があった。
また、締結部材８０のカラー８１は、締結部材５０のカラー５１に比べて凹部８７を新たに設ける必要があり、さらに止め溝８９付きの専用ボルトや止め輪９０を必要とするため、構造が複雑になるという問題があった。また締結力が低下するという問題があった。
【０００７】
本発明の目的は、ボルトを締め込むことにより締結している軸等に不要な荷重をかけることなく締結部材を解放することができるだけでなく、構造が簡単で締結力が低下せず、必要に応じてカラーの厚さを薄くすることもできる締結部材を提供することにある。
【０００８】
【課題を解決するための手段】
上記課題を解決するために、本発明の締結部材は、環状のカラーをカラーの一方端とカラーの他方端とに切り離すように、カラーにスリットを設け、一方端に内周に雌ねじのある締付穴を設け、他方端に、締付穴と略同一軸線上に締付穴よりも内径の大きい遊挿穴を設け、締付穴に螺合する軸部と遊挿穴に挿通不能な頭部とを備えた締結ボルトの軸部を、遊挿穴に挿通させて締付穴に締め込むことにより、カラーを外挿した軸に締結される締結部材において、遊挿穴を内周に雌ねじのある遊挿解放穴とし、締結ボルトを取り外した状態で、遊挿解放穴に螺合する解放ボルトを、該解放ボルトが一方端を押動するまで遊挿解放穴に締め込むことにより、締結部材が軸から解放されるようにしたことを特徴としている。
【０００９】
略同一軸線上とは、締付穴と遊挿解放穴とが、厳密に同一軸線上にある場合だけでなく、締結ボルトを締付穴に螺合させるために遊挿解放穴に遊挿する際に、その遊挿が妨げられない程度に、両穴の軸線がずれたり傾いたりしている場合も含む意味である。
【００１０】
解放ボルトの谷径は、特に限定されないが、締付穴の開口端を破損しないよう、締付穴の谷径よりも大きいことが好ましい。
【００１１】
【発明の実施の形態】
以下、本発明を具体化した締結部材の実施形態について、図を参照して説明する。
図１〜図３は、丸棒状の軸に締結する締結部材を示しており、組み合わせて用いるボルトを変えることにより軸に締結させたり、軸から解放したりできるようにしたもので、カラー２とボルトとで構成される。
【００１２】
カラー２は、中央部に丸穴１０が貫設された略円環状に形成されたもので、カラー２の一箇所には、カラー２の一方端４とカラー２の他方端５とに切り離すようにスリット３が設けられている。
【００１３】
一方端４には、内周に雌ねじのある締付穴６が設けられている。締付穴６はスリット３に対して略垂直方向に延びて、その両端は端面４ａとカラー２の外周面とにそれぞれ開口している。なお、締付穴６は、カラー２の外周面側に開口していなくてもよい。
【００１４】
他方端５には、締付穴６と同一軸線軸上に締付穴６よりも内径の大きい遊挿解放穴７が設けられている。遊挿解放穴７の内周には、雌ねじが形成されている。また、遊挿解放穴７の両端は、端面５ａと遊挿解放穴７の延長上に略平行に形成された丸溝８の係止面９とにそれぞれ開口している。
【００１５】
次に、カラー２を軸４０に外挿して、締結部材を軸４０に締結する方法について説明する。
図２（ａ）に示すように、締付穴６に螺合する軸部２０ｂと遊挿解放穴７に挿通不能な外径を備えた頭部２０ａとを備えた締結ボルト２０を、締結ボルト２０の軸部２０ｂを遊挿解放穴７に挿通させて締付穴６に締め込む。すると、図２（ｂ）に示すように、締結ボルト２０の頭部２０ａが係止面９を介して他方端５を一方端４に引き寄せるので、カラー２を外挿した軸４０の周りに、締結部材が締結される。
【００１６】
次に、軸４０に締結した締結部材を解放する方法について説明する。
図３（ａ）に示すように、締結ボルト２０をカラー２から取り外した状態で、遊挿解放穴７に螺合するとともに締付穴６の谷径よりも大きい谷径の軸部３０ｂと、頭部３０ａとを備えた解放ボルト３０を、図３（ｂ）に示すように、解放ボルト３０が端面４ａに当接して一方端４を押動するまで遊挿解放穴７に締め込む。すると、一方端４と他方端５とが互いに離間するようにカラー２がやや変形して、軸４０から締結部材が解放される。
【００１７】
従って、本実施形態の締結部材によれば、締結ボルト２０を取り外して解放ボルト３０を締め込むだけで、軸４０から解放することができるので、締結解除時に締結されている軸４０に不要な荷重をかけることなく締結を解放することができる。また、カラー２は、従来のカラー５１のルーズ穴５４に雌ねじを形成するだけで得られるとともに、締結ボルト２０と開放ボルト３０とに、一般的なボルトをそのまま利用するので構造が簡単であり、締結力も十分得られる。また、締付穴６と遊挿解放穴７とが略同軸上に位置しているので、必要に応じてカラー２の厚さを薄くすることもできる。
【００１８】
なお、本発明は前記実施形態に限定されるものではなく、例えば以下のように、発明の趣旨から逸脱しない範囲で適宜変更して具体化することもできる。
（１）カラー２の形状を多角形状などに適宜変更すること。
（２）カラー２に、部品を一体形成するか若しくは、部品を取付けられるようにして、カラー２を軸４０に部品を取付けるための取付部材として用いること。
【００１９】
【発明の効果】
以上詳述した通り、本発明の締結部材によれば、ボルトを締め込むことにより締結している軸等に不要な荷重をかけることなく締結部材を解放することができるだけでなく、構造が簡単で締結力が低下せず、必要に応じてカラーの厚さを薄くすることもできる。
【図面の簡単な説明】
【図１】本発明の実施形態の締結部材の一部を破断した状態を示す斜視図である。
【図２】同締結部材の（ａ）は締結前の状態を示す正面図、（ｂ）は締結状態を示す正面図である。
【図３】同締結部材の（ａ）は締結解放前の状態を示す正面図、（ｂ）は締結解放の状態を示す正面図である。
【図４】従来例の締結部材を示す（ａ）は正面図、（ｂ）は側面図である。
【図５】別の従来例の締結部材を示す（ａ）は正面図、（ｂ）は側面図である。
【図６】別の従来例の締結部材を示す正面図である。
【符号の説明】
２    カラー
４    一方端
５    他方端
６    締付穴
７    遊挿解放穴
２０    締結ボルト
２０ａ  頭部
２０ｂ  軸部
３０    解放ボルト
４０    軸
【図１】
2004293645.tif 000003
【図２】
2004293645.tif 000004
【図３】
2004293645.tif 000005
【図４】
2004293645.tif 000006
【図５】
2004293645.tif 000007
【図６】
2004293645.tif 000008